(57)【要約】【課題】スキャナを備える画像記録装置がコンパクトに構成できる支持台、スキャナ装置、および画像記録装置の提供。【解決手段】水平に延在するとともに、画像を読み取ってプリンタ１０に画像データを出力するスキャナ６を下方から支持する中空状のアーム状部材１００と、上端においてアーム状部材１００を支持する支柱１０２とを備え、支柱１０２はアーム状部材１００に連通し、前記支柱１００におけるアーム状部材１００よりも下方に、前記プリンタ１０におけるプリンタ制御基板５０等を通過した空気が流入する空気流入口１１０が開口し、前記アーム状部材１００の下面に、前記空気流入口１１０から流入した空気流が流出する空気流出口１１２が開口した支持台、スキャナ装置、および画像記録装置。【選択図】図１
2007318413.tif 000002
【特許請求の範囲】
【請求項１】
水平に延在するとともに、画像を読み取ってプリンタに画像データを出力するスキャナを下方から支持する中空状のスキャナ支持部と、
上端において前記スキャナ支持部を支持する支柱と
を備え、
前記支柱は前記スキャナ支持部に連通し、
前記支柱における前記スキャナ支持部よりも下方に、前記プリンタにおける発熱部を通過した空気が流入する空気流入口が開口し、前記スキャナ支持部の下面に、前記空気流入口から流入した空気流が流出する空気流出口が開口してなる
ことを特徴とする支持台。
【請求項２】
前記スキャナ支持部は、スキャナを下方から支持するとともに、前記支柱に連通した１対のアーム状部材であり、前記空気流出口は、前記アーム状部材の下面に開口してなる請求項１に記載の支持台。
【請求項３】
前記アーム状部材の下面は、前記支柱に向かって下向きに傾斜してなる請求項２に記載の支持台。
【請求項４】
前記支柱は１対設けられ、前記支柱の間に前記プリンタの発熱部が配設される請求項２または３に記載の支持台。
【請求項５】
前記支柱と前記アーム状部材との間に、前記支柱内部の空気流を前記アーム状部材に誘導する整流板が配設されてなる請求項２〜４の何れか１項に記載の支持台。
【請求項６】
前記空気流入口は、前記プリンタの備える発熱部よりも上方において上向きに開口してなる請求項１〜５の何れか１項に記載の支持台。
【請求項７】
前記空気流入口には前記支柱の内部に空気を押し込む押込みファンが設けられてなる請求項１〜６の何れか１項に記載の支持台。
【請求項８】
前記空気流出口には、前記スキャナ支持部内部の空気を吸い出す吸出しファンが設けられてなる請求項１〜７の何れか１項に記載の支持台。
【請求項９】
請求項１〜８の何れか１項に記載の支持台と、
前記支持台の備えるスキャナ支持部によって下方から支持されてなるスキャナと
を備えるスキャナ装置。
【請求項１０】
請求項１〜８の何れか１項に記載の支持台と、
前記支持台の備えるスキャナ支持部によって下方から支持されてなるスキャナと、
前記スキャナで読み取った画像データに基づいて記録媒体に画像を印字するプリンタと
を備え、
前記支持台の支柱において、前記プリンタにおける発熱部を通過した空気が流出する位置に空気流入口が開口してなることを特徴とする画像記録装置。
【請求項１１】
前記発熱部は、前記プリンタにおいて画像を記録媒体に熱定着する定着部、前記スキャナを制御するスキャナ制御基板、前記プリンタを制御するプリンタ制御基板、および前記スキャナとプリンタとの何れかまたは両方に電力を供給する電源基板のうちの少なくとも１つを包含する請求項１０に記載の画像記録装置。
【請求項１２】
前記プリンタは電子写真式である請求項１０または１１に記載の画像記録装置。
【請求項１３】
前記プリンタはインクジェット式である請求項１０または１１に記載の画像記録装置。
【請求項１４】
前記プリンタにおいて画像が記録された記録媒体が排出される記録媒体排出部は、前記支持台における空気流出口の下方に設けられてなる請求項１０〜１３の何れか１項に記載の画像記録装置。
【発明の詳細な説明】
【技術分野】
【０００１】
本発明は、支持台、スキャナ装置、および画像記録装置に係り、特に、スキャナを備える画像記録装置を従来よりもコンパクトに構成できる支持台、前記支持台にスキャナを載置したスキャナ装置、および前記支持台とスキャナとプリンタとを有する画像記録装置に関する。
【背景技術】
【０００２】
デジタル複写機は、通常、原稿の画像を読み取って画像信号に変換するスキャナと、スキャナからの画像信号に基づいて記録用紙などの記録媒体に画像を形成する電子写真式のプリンタと、前記スキャナおよびプリンタが載置されるラックとを備える。
【０００３】
前記デジタル複写機においては、ラックは、スキャナが載置されるスキャナ載置台とプリンタが載置されるプリンタ載置台とを備える。そして、通常は、スキャナがプリンタの上方に載置されるように、スキャナ載置台がプリンタ載置台の上方に位置する。そして、オペレータの操作の弁を考慮し、プリンタで画像が記録された記録用紙が排出される排紙トレイが、スキャナとプリンタとの間の部分、具体的にはプリンタの上面に設けられている。
【０００４】
しかしながら、デジタル複写機においては、プリンタ内部において記録用紙に画像を定着する定着装置やプリンタ全体を制御する中央制御基板、前記デジタル複写機全体に電力を供給する電源基板などが過熱しないように排気口が設けられているが、見栄えやオペレータに対する安全性の観点から、前記排気口は背面側に設けられることが多い。
【０００５】
しかしながら、デジタル複写機は、通常、壁際に寄せて接地されることが多いから、排気口が壁で塞がれる形になり、定着装置や中央制御基板、電源基板などから発生した熱がプリンタ内に篭って種々の故障の原因になることがあった。
【０００６】
そこで、前記ラックの支柱を中空状に形成するとともに、前記支柱の側面に、前記排気口からの排気が流入する流入口を設け、前記支柱の頂面、換言すればスキャナ載置台の上面に、前記流入口から流入した排気を排出する流出口を開口させることが検討された（特許文献１）。
【特許文献１】特開２００１−２３６０００号公報
【発明の開示】
【発明が解決しようとする課題】
【０００７】
しかしながら、前記デジタル複写機においては、前記流出口を避けてスキャナを配置する必要があったので、流出口の寸法の分だけスキャナをオペレータに向かった前方に突出させる必要があった。
【０００８】
したがって、デジタル複写機の寸法が大きくなるだけでなく、スキャナによって排紙トレイが覆われてしまい、記録用紙の取り出しが不便になるという問題があった。このような問題は、前述のデジタル複写機に限られたことではなく、スキャナの下方に記録用紙が排出される構成であれば同様である。
【０００９】
本発明は、上記問題を解決すべく成されたものであり、スキャナを備える画像記録装置がコンパクトに構成できる支持台、前記支持台にスキャナを載置したスキャナ装置、および前記支持台とスキャナとプリンタとを有する画像記録装置を提供することを目的とする。
【課題を解決するための手段】
【００１０】
請求項１に記載の発明は、水平に延在するとともに、画像を読み取ってプリンタに画像データを出力するスキャナを下方から支持する中空状のスキャナ支持部と、上端において前記スキャナ支持部を支持する支柱とを備え、前記支柱は前記スキャナ支持部に連通し、前記支柱における前記スキャナ支持部よりも下方に、前記プリンタにおける発熱部を通過した空気が流入する空気流入口が開口し、前記スキャナ支持部の下面に、前記空気流入口から流入した空気流が流出する空気流出口が開口してなることを特徴とする支持台に関する。
【００１１】
前記支持台においては、プリンタの発熱部を通過した空気は、空気流入口から支柱内に流入し、支柱内をスキャナ支持部に向かって上昇する。そして、スキャナ支持部に沿って流れて空気流出口から外部に排出される。
【００１２】
したがって、前記支持台によれば、画像記録装置をコンパクトに構成できる。なお、請求項１の発明には、スキャナ支持部の上面、即ちスキャナが載置される側の面に一切開口が設けられていない形態が含まれることは勿論のこと、スキャナが載置される側の面に開口が設けられている形態であっても開口の全幅以上にスキャナがオペレータに向かって前方に突出されていなければ含まれる。
【００１３】
請求項２に記載の発明は、前記スキャナ支持部が、スキャナを下方から支持するとともに、前記支柱に連通した１対のアーム丈部材を有し、前記空気流出口は、前記アーム状部材の下面に開口してなる請求項１に記載の支持台に関する。
【００１４】
前記支持台は、前記スキャナ支持部がアーム状部材であるから、スキャナ支持部がテーブル状部材であるものとは異なり、内部に変形防止のための補強材を設ける必要がなく、構造が簡略化できる。
【００１５】
スキャナ支持部は、後述するアーム状部材であってよく、また、内部が中空なテーブル状部材であってもよい。
【００１６】
請求項３に記載の発明は、前記アーム状部材の下面が、前記支柱に向かって下向きに傾斜してなる請求項２に記載の支持台に関する。
【００１７】
前記支持台を用いて構成した画像記録装置においては、プリンタの上面に記録媒体が排出されるようにすれば、排出された記録媒体は、空気流出口からの気流によって先端部が下方に押圧される。従って記録媒体の排出不良が効果的に防止される。
【００１８】
請求項４に記載の発明は、前記支柱が１対設けられ、前記支柱の間に前記プリンタの発熱部が配設される請求項２または３に記載の支持台に関する。
【００１９】
前記支持台においては、アーム状部材の上方にスキャナを固定し、下方にプリンタを載置し、支柱の間に前記プリンタの発熱部を位置させることにより、画像記録装置をよりコンパクトに構成できる。
【００２０】
請求項５に記載の発明は、前記支柱と前記アーム状部材との間に、前記支柱内部の空気流を前記アーム状部材に誘導する整流板が配設されてなる請求項２〜４の何れか１項に記載の支持台に関する。
【００２１】
前記支持台においては、空気流入口から流入した空気は、支柱の頂部において整流板によってアーム状部材に誘導されるから、支柱の頂部において空気が滞留することが効果的に防止される。
【００２２】
請求項６に記載の発明は、前記空気流入口が前記プリンタの備える発熱部よりも上方において上向きに開口してなる請求項１〜５の何れか１項に記載の支持台に関する。
【００２３】
前記支持台においては、空気流入口は、プリンタの発熱部よりも上方において上向きに開口しているから、プリンタの発熱部で空気が加熱された空気は上昇し、空気流入稿に向かって誘導される。
【００２４】
請求項７に記載の発明は、前記空気流入口には前記支柱の内部に空気を押し込む押込みファンが設けられてなる請求項１〜６の何れか１項に記載の支持台に関する。
【００２５】
前記支持台においては、発熱部を通過した空気は、空気流入口に設けられた押込みファンによって支柱内部に押し込まれる。したがって、何らかの事項により、発熱部と同じ高さまたは発熱部よりも低い高さに空気流入口を設けなければならない場合においても、発熱部を通過した空気を何ら支障なく空気流入口から支柱内に誘導できる。
【００２６】
請求項８に記載の発明は、前記空気流出口には、前記スキャナ支持部内部の空気を吸い出す吸出しファンが設けられてなる請求項１〜７の何れか１項に記載の支持台に関する。
【００２７】
前記支持台においては、支柱およびスキャナ支持部内部の空気は、前記空気流出口に設けられた吸出しファンによって外界に向かって吸い出されるから、空気流入口から支柱内に流入して空気流出口から外界に流出する空気流が安定に形成される。
【００２８】
請求項９に記載の発明は、請求項１〜８の何れか１項に記載の支持台と、前記支持台の備えるスキャナ支持部によって下方から支持されてなるスキャナとを備えるスキャナ装置に関する。
【００２９】
前記スキャナ装置においては、空気流出口は、スキャナ支持部の上面ではなく、下面に開口しているから、空気流出口を避けてスキャナを載置する必要はない。
【００３０】
したがって、スキャナ支持部を、スキャナを載置するのに必要最小限の大きさに構成できる。
【００３１】
請求項１０に記載の発明は、  請求項１〜８の何れか１項に記載の支持台と、前記支持台の備えるスキャナ支持部によって下方から支持されてなるスキャナと、前記スキャナで読み取った画像データに基づいて記録媒体に画像を印字するプリンタとを備え、前記支持台の支柱において、前記プリンタにおける発熱部を通過した空気が流出する位置に空気流入口が開口してなることを特徴とする画像記録装置に関する。
【００３２】
前記画像記録装置においては、プリンタの発熱部を通過した空気は、空気流入口から支柱内に流入し、支柱内をスキャナ支持部に向かって上昇する。そして、スキャナ支持部に沿って流れて空気流出口から外部に排出される。
【００３３】
前記画像記録装置においては、空気流出口はスキャナ支持部の上面、即ちスキャナが載置される側の面には開口していないから、空気流出口を避けてスキャナを載置する必要がない。したがってスキャナ支持部はスキャナを支持できる最低の寸法があればよい。また、支柱が１対あれば、プリンタの発熱部が支柱の間に位置するようにプリンタを配置すればよい。
【００３４】
したがって、前記画像記録装置はコンパクトに構成できる。また空気流出口が画像記録装置の全面には開口しないから、見栄えがよい。
【００３５】
請求項１１に記載の発明は、前記発熱部は、前記プリンタにおいて画像を記録媒体に熱定着する定着部、前記スキャナを制御するスキャナ制御基板、前記プリンタを制御するプリンタ制御基板、および前記スキャナとプリンタとの少なくとも一方に電力を供給する電源基板のうちの少なくとも１つを包含する請求項１０に記載の画像記録装置に関する。
【００３６】
プリンタの定着部、スキャナ制御基板、プリンタ制御基板、および電源基板は何れも発熱が大きいので、プリンタおよびスキャナを運転中は常に冷却する必要がある。
【００３７】
前記画像記録装置においては、発熱の大きな定着部、スキャナ制御基板、プリンタ制御基板、および電源基板を冷却した空気を空気流入口から支柱およびスキャナ支持部の内部に誘導して空気流出口から外界に排出しているから、壁際に画像記録装置を配設した場合においても、これらの発熱の大きな部材の冷却に支障が生じることはない。したがって、スキャナ制御基板やプリンタ制御基板、電源基板が過熱することによって故障が生じることがない。
【００３８】
請求項１２に記載の発明は、前記プリンタが電子写真式である請求項１０または１１に記載の画像記録装置に関する。
【００３９】
前記画像記録装置は、プリンタが電子写真式の画像記録装置の例である。
【００４０】
請求項１３に記載の発明は、前記プリンタがインクジェット式ある請求項１０または１１に記載の画像記録装置に関する。
【００４１】
前記画像記録装置は、プリンタがインクジェット式の画像記録装置の例である。
【００４２】
請求項１４に記載の発明は、前記プリンタにおいて画像が記録された記録媒体が排出される記録媒体排出部は、前記支持台における空気流出口の下方に設けられてなる請求項１０〜１３の何れか１項に記載の画像記録装置に関する。
【００４３】
前記画像記録装置においては、記録媒体排出部に排出された記録媒体は、空気流出口からの空気流によって先端部が下向きに押圧されるから、記録媒体の先端が支柱等に当たって排出不良が生じるのが防止される。
【発明の効果】
【００４４】
以上説明したように本発明によれば、スキャナを備える画像記録装置がコンパクトに構成できる支持台、前記支持台にスキャナを載置したスキャナ装置、および前記支持台とスキャナとプリンタとを有する画像記録装置が提供される。
【発明を実施するための最良の形態】
【００４５】
１．実施形態１
以下、本発明に係る画像記録装置の一例であるデジタル複写機について図面を用いて説明する。
【００４６】
実施形態１に係るデジタル複写機２は、図１に示すように、スキャナ６と、スキャナ６を下方から支持する支持台４と、スキャナ６で読み取った画像を印字するプリンタ１０とから構成される。
【００４７】
先ず、プリンタ１０について説明する。
【００４８】
図１に示すように、プリンタ１０は、フルカラーの印刷が可能なように、例えば、下からイエロー（Ｙ）、マゼンタ（Ｍ）、シアン（Ｃ）、ブラック（Ｋ）の順に鉛直方向に配設された現像ユニット１６Ｙ〜１６Ｋと、光学ユニット２４と、現像ユニット１６Ｙ〜１６Ｋを着脱可能に収容する本体フレーム１２と、本体フレーム１２に対し、開閉可能に設けられ、閉じたときは本体フレーム１２と一体の筐体を構成するカバー体１４とを備える。カバー体１４に、記録用紙Ｐを吸着搬送可能な搬送ベルト３４を備えた転写搬送ユニット１８が着脱可能に取り付けられている。
【００４９】
現像ユニット１６Ｙ〜１６Ｋは、夫々、画像データに基づいて光学ユニット２４によって表面が照射され、表面に静電電位の差による潜像が形成されるロール状の像担持体２０と、像担持体２０の表面を一様に帯電する帯電ローラー２２と、潜像にトナーを選択的に転移して可視化する現像ローラー２６と、トナー像が転写された後の像担持体２０に摺接し、その像担持体２０に残留するトナーをクリーニングするクリーニング部材２８とを備える。
【００５０】
像担持体２０は、表面に感光体層を有し、帯電ローラー２２によって、その表面が一様に帯電された後、光学ユニット２４から照射されるレーザ光（画像光）によって、その表面が露光され、その露光された部分の電位が減衰することにより静電潜像（画像）が形成される。なお、帯電ローラー２２は、像担持体２０に当接し、これらの間に電圧が印加され、当接部付近の微少間隙内で放電が生じることにより、像担持体２０の表面を略一様に帯電する。
【００５１】
光学ユニット２４は、点滅するレーザ光を像担持体２０の表面に走査させ、画像データに基づいた静電潜像を像担持体２０の表面上に形成する。なお、光学ユニット２４としては、ＬＥＤ等の発光素子を配列し、これらを画像データに基づいて点滅させるものなどが考えられる。図２に示すように、本体フレーム１２において光学ユニット２４が収納される光学ユニット収納コンパートメント１３の現像ユニット１６Ｙ〜１６Ｋに面する側の壁面には、光学ユニット２４からの４本のレーザ光が像担持体２０に向かって出射するレーザ光透過スリット１５Ｙ〜１５Ｋが開口している。
【００５２】
現像ローラー２６は、像担持体２０と近接して対向するように配置され、この現像ローラー２６と像担持体２０との間に現像バイアス電圧が印加されるようになっている。これにより、現像ローラー２６と像担持体２０との間には現像バイアス電界が形成され、電荷を有するトナーが像担持体２０上の露光された部分に転移して可視像を形成する。
【００５３】
一方、転写搬送ユニット１８は、少なくとも駆動ローラー３０と従動ローラー３２に張架された搬送ベルト３４を備えており、その搬送ベルト３４の内面側で、駆動ローラー３０と従動ローラー３２の間の所定位置には、転写ローラー３６が所定間隔を隔ててＹ、Ｍ、Ｃ，Ｋの各色に対応して４個配設されている。
【００５４】
この転写ローラー３６は、カバー体１４を閉じたときに搬送ベルト３４を挟んで像担持体２０と対向するように配設され、像担持体２０との間に転写電界を形成することによって、搬送ベルト３４に吸着搬送されて通過する記録用紙Ｐ上に、像担持体２０表面のトナー像（未定着像）を転写させるようになっている。
【００５５】
現像ユニット１６Ｙ〜１６Ｋよりも記録用紙Ｐの搬送方向下流側、換言すれば本体フレーム１２の上部には、定着装置３８が配設されている。
【００５６】
定着装置３８は、互いの周面が対向して所定の圧力で圧接（ニップ）される加熱ローラー４０と加圧ローラー４２とを備え、加熱ローラー４０および加圧ローラー４２で記録用紙Ｐ上に転写された未定着のトナー像を加熱・加圧することにより、記録用紙Ｐにトナー像を定着する機能を有する。
【００５７】
なお、定着装置３８（加熱ローラー４０および加圧ローラー４２）によって加熱・加圧されてトナー像が定着された記録用紙Ｐは、排紙トレイ４４上へ排出される。そして、記録用紙Ｐへトナー像を転写終了後、像担持体２０の表面は、クリーニング部材２８によってクリーニング処理され、次回の作像処理に備えるようになっている。
【００５８】
また、本体フレーム１２の下部には、給紙カセット４６が着脱自在に装着されている。給紙カセット４６は、記録用紙Ｐが送り出される方向と逆方向に引き抜き可能となっており、適宜記録用紙Ｐを給紙できるようになっている。
【００５９】
給紙カセット４６の先端部近傍には、給紙カセット４６内から記録用紙Ｐを１枚ずつ送り出す給紙ローラー対４８が設けられており、給紙ローラー対４８から送り出された記録用紙Ｐは、レジストローラー対４９によって、所定のタイミングで搬送ベルト３４の吸着搬送面へ送り出され、各色のトナー像の転写位置へ搬送される。
【００６０】
プリンタ１０においては、現像ユニット１６Ｙ〜１６Ｋの像担持体２０Ｙ〜２０Ｋが設けられた側に隣接して転写搬送ユニット１８が設けられている。転写搬送ユニット１８は、上端部に回転可能に軸支された駆動ローラー３０と、下端部に回転可能に軸支された従動ローラー３２と、駆動ローラー３０および従動ローラー３２に巻回・張架され、記録用紙Ｐを静電吸着可能な搬送ベルト３４とを備える。そして、駆動ローラー３０と従動ローラー３２の間における搬送ベルト３４の内面側には、所定間隔を隔ててＹ〜Ｋの各色毎に転写ローラー３６Ｙ〜３６Ｋが軸支されている。各転写ローラー３６Ｙ〜３６Ｋは、搬送ベルト３４を挟んで、各像担持体２０Ｙ〜２０Ｋに所定の圧力で圧接され、搬送ベルト３４の走行に追従して回転する。
【００６１】
プリンタ１０は、更に、図１及び図２に示すように、現像ユニット１６Ｙ〜１６Ｋ、転写搬送ユニット１８、光学ユニット２４、定着装置３８等を制御、統制するプリンタ制御基板５０、プリンタ１０とスキャナ６との間で画像信号を授受するとともに、スキャナ６を制御するスキャナ制御基板５１、および電源基板５２が設けられている。なお、図２においてスキャナ制御基板５１は省略されている。
【００６２】
次に、支持台４について説明する。
【００６３】
図１および図２に示すように、支持台４は、水平方向に沿ってプリンタ１０の備える排紙トレイ４４上に延在する１対のアーム状部材１００と、各アーム状部材１００を下方から支持する支柱１０２とを有する。アーム状部材１００と支柱１０２とは、接続部で連通している。支柱１０２の内部における頂部には、支柱１０２およびアーム状部材１００に対して斜めに整流板１０４が設けられている。アーム状部材１００と支柱１０２とには矩形状断面を有する管が用いられる。
【００６４】
アーム状部材１００は、先端部と根元部とで２本の水平梁１０６で連結され、支柱１０２は、中間部と下端部とで２本の水平梁１０８で連結されている。したがって、図２に示すように、１対のアーム状部材１００と１対の水平梁１０６とでスキャナ６が載置される矩形状の枠体が形成され、また、１対の支柱１０２と水平梁１０８Ａと水平梁１０８Ｂとによってもう1つの枠体が形成される。
【００６５】
支柱１０２の内側の面、即ち相対する側の面には空気流入口１１０が設けられ、アーム状部材１００の下面には、ルーバー状の空気流出口１１２が開口している。アーム状部材１００の下面は、支柱１０２に向かって下向きに傾斜している。
【００６６】
支柱１０２を連結する２本の水平梁１０８の間の部分は、塞ぎ板で塞がれているが、図２では前記塞ぎ板は省略されている。２本の水平梁１０８のうち、上方に位置する水平梁１０８Ａの上面には、冷却風をプリンタ１０に導入する冷却ファン１１４が固定されている。また、水平梁１０８Ａと水平梁１０８Ｂとの間には、１対の支柱１０２と水平梁１０８Ａと水平梁１０８Ｂとによって形成される枠体を２分するパンチングメタル板１１６が縦方向に設けられている。
【００６７】
プリンタ１０は、図２に示すように、１対の支柱１０２と水平梁１０８Ａと水平梁１０８Ｂとで形成される矩形状の枠体の内側にプリンタ制御基板５０、スキャナ制御基板５１、および電源基板５２が嵌るように支持台４に取り付けられている。なお、前記枠体はパンチングメタル板１１６によってプリンタ制御基板５０が嵌る部分と電源基板５２が嵌る部分とに区分される。なお、冷却ファン１１４の近傍には、冷却風をプリンタ制御基板５０およびスキャナ制御基板５１に誘導する導風板１１３が設けられている。
【００６８】
支持台４においては、図３に示すように、支柱１０２の内部に空気を押し込む押込みファン１２０を空気流入口１１０に設けてもよく、図４に示すように、支柱１０２およびアーム状部材１００内部の空気を吸い出す吸出しファン１２２を空気流出口１１２に設けてもよい。また、図５に示すように、水平張り１０８Ａに換えてチャンネル材を用いたチャンネル梁１０９を設けてもよい。チャンネル梁１０９は、底の部分が上側に位置するように、支柱１０２に開口した開口部１１１から支柱１０２の内部に両端部を挿入して固定される。空気流入口１１０は、チャンネル梁１０９の両端に設けることができる。
【００６９】
以下、デジタル複写機２の作用について説明する。
【００７０】
スキャナ６で原稿が読み取られると、画像データは、スキャナ６からスキャナ制御基板５１を介してプリンタ１０におけるプリンタ制御基板５０に入力される。プリンタ制御基板５０は、入力された画像データに基づいて現像ユニット１６Ｙ〜１６Ｋ、転写搬送ユニット１８、光学ユニット２４、定着装置３８等を制御、統制し、以下の手順によって記録用紙Ｐにトナー画像を形成する。
【００７１】
先ず、給紙ローラー対４８により、給紙カセット４６内から１枚ずつ記録用紙Ｐが取り出され、レジストローラー対４９によって所定のタイミングで搬送ベルト３４上に送られる。搬送ベルト３４上に送られた記録用紙Ｐは、その搬送ベルト３４によって静電吸着され、各色の像担持体２０Ｙ〜２０Ｋへ搬送される。
【００７２】
一方、現像ユニット１６では、まず、帯電ローラー２２によって像担持体２０の表面が一様に帯電される。そして、光学ユニット２４からレーザ光（画像光）が像担持体２０の表面に走査され、画像データに基づいた静電潜像が像担持体２０の表面上に形成される。その後、現像ローラー２６によってトナーが像担持体２０上に転移され、その像担持体２０の表面に可視像が形成される。
【００７３】
こうして、像担持体２０の表面に可視像が形成されたら、搬送ベルト３４に吸着搬送されて通過する記録用紙Ｐ上に、像担持体２０表面のトナー像（未定着像）が、像担持体２０と転写ローラー３６によって転写される。これをイエロー（Ｙ）、マゼンタ（Ｍ）、シアン（Ｃ）、ブラック（Ｋ）の順に行い、記録用紙Ｐ上にフルカラーのトナー像（未定着像）が転写されたら、記録用紙Ｐは、搬送ベルト３４によって定着装置３８へ搬送される。
【００７４】
定着装置３８に搬送された記録用紙Ｐは、加熱ローラー４０及び加圧ローラー４２によって、それに転写されている未定着のトナー像が加熱・加圧されて定着される。そして、定着装置３８によってトナー像が定着された記録用紙Ｐは、排紙トレイ４４上へ排出される。なお、記録用紙Ｐへのトナー像の転写終了後、像担持体２０の表面は、クリーニング部材２８によってクリーニング処理され、次の作像処理に備える。
【００７５】
このように、スキャナ６およびプリンタ１０が動作すると、プリンタ制御基板５０、スキャナ制御基板５１、電源基板５２においては大量の熱が発生するが、これらの基板で生じた熱は以下のようにして除去される。
【００７６】
先ず、冷却ファン１１４によってプリンタ制御基板５０とスキャナ制御基板５１との間に冷却風が導入される。プリンタ制御基板５０とスキャナ制御基板５１との間に導入された冷却風は、図２〜図５において矢印ａおよび矢印ｂで示すように二手に分かれる。そして、冷却風ａは、パンチングメタル板１１６を通って電源基板５２に沿って流れ、図２〜図５における左側の空気流入口１１０から左側の支柱１０２の内部に導入される。一方、冷却風ｂは、プリンタ制御基板５０に沿って流れて図２〜図５における右側の空気流入口１１０から右側の支柱１０２の内部に導入される。
【００７７】
冷却風ａおよび冷却風ｂは、支柱１０２およびアーム状部材１００の内部を通過して空気流出口１１２から排紙トレイ４４に向かって排出される。
【００７８】
実施形態１に係るデジタル複写機２においては、空気流出口１１２はアーム状部材１００の下面に開口しているから、空気流出口１１２を避けてスキャナ６を配設する必要がない。したがって、アーム状部材１００は、スキャナ６を載置するのに最低限必要な長さがあれば十分であるから、図１に示すようにアーム状部材１００およびスキャナ６が排紙トレイ４４の上方に位置する形態においても、排紙トレイ４４上に排出された記録用紙Ｐを取り出す妨げにはならない。また、デジタル複写機２全体としてコンパクトに構成できる。
【００７９】
また、空気流出口１１２は前面には開口しないから、外観がすっきりとしている。
【００８０】
更に、プリンタ制御基板５０、スキャナ制御基板５１、電源基板５２で暖められた空気がアーム状部材１００の内部を流れることにより、アーム状部材１００を介してスキャナ６も加温される。したがって、気温が低く、湿度が高い場合においてもスキャナ６内部の結露を防止できる。
【００８１】
加えて、支柱１０２とアーム状部材１００との間には整流板１０４が設けられているから、支柱１０２内で空気が滞留することがない。
【００８２】
更に加えて、空気流入口１１０に押込みファン１２０を設けた態様、および空気流出口１１２に吸出しファン１２２を設けた態様においては、支柱１０２とアーム状部材１００の内部における空気の流れが更に滑らかになる。
【００８３】
また、図５に示す態様においては、空気流入口１１０が上方を向いているから、プリンタ制御基板５０、スキャナ制御基板５１、電源基板５２で暖められた空気はチャンネル梁１０９に沿って空気流入口１１０に向かって上昇する。したがって、空気流入口１１０に押込みファンのような空気押込み手段を特に設けなくても、プリンタ１０からの排気は自然に空気流入口１１０から支柱１０２内部に押し込まれる。
【００８４】
以上、プリンタ１０が電子写真式である例について説明したが、プリンタ１０は、インクジェット式プリンタであってもよい。
【産業上の利用可能性】
【００８５】
本発明は、電子写真式プリンタを有する画像記録装置だけでなく、インクジェット式プリンタを有する画像記録装置についても適用できる。
【図面の簡単な説明】
【００８６】
【図１】図１は、実施形態１に係るデジタル複写機の全体的な構成を示す概略図である。
【図２】図２は、図１に示すデジタル複写機の備える支持台とプリンタとの相対的な位置関係を示す斜視図である。
【図３】図３は、図１に示すデジタル複写機に使用される支持台の別の例を示す斜視図である。
【図４】図４は、図１に示すデジタル複写機に使用される支持台の更に別の例を示す斜視図である。
【図５】図５は、図１に示すデジタル複写機に使用される支持台の更に別の例を示す斜視図である。
【符号の説明】
【００８７】
２    デジタル複写機
４    支持台
６    スキャナ
１０    プリンタ
１２    本体フレーム
１３    光学ユニット収納コンパートメント
１４    カバー体
１５Ｙ  レーザ光透過スリット
１５Ｍ  レーザ光透過スリット
１５Ｃ  レーザ光透過スリット
１５Ｋ  レーザ光透過スリット
１６    現像ユニット
１６Ｙ  現像ユニット
１６Ｍ  現像ユニット
１６Ｃ  現像ユニット
１６Ｋ  現像ユニット
１８    転写搬送ユニット
２０    像担持体
２０Ｙ  像担持体
２０Ｍ  像担持体
２０Ｃ  像担持体
２０Ｋ  像担持体
２２    帯電ローラー
２４    光学ユニット
２６    現像ローラー
２８    クリーニング部材
３０    駆動ローラー
３２    従動ローラー
３４    搬送ベルト
３６    転写ローラー
３６Ｙ  転写ローラー
３６Ｍ  転写ローラー
３６Ｃ  転写ローラー
３６Ｋ  転写ローラー
３８    定着装置
４０    加熱ローラー
４２    加圧ローラー
４４    排紙トレイ
４６    給紙カセット
４８    給紙ローラー対
４９    レジストローラー対
５０    プリンタ制御基板
５１    スキャナ制御基板
５２    電源基板
１００    アーム状部材
１０２    支柱
１０４    整流板
１０６    水平梁
１０８    水平梁
１０８Ａ  水平梁
１０８Ｂ  水平梁
１０９    チャンネル梁
１１０    空気流入口
１１１    開口部
１１２    空気流出口
１１３    導風板
１１４    冷却ファン
１１６    パンチングメタル板
１２０    押込みファン
１２２    吸出しファン
【図１】
2007318413.tif 000003
【図２】
2007318413.tif 000004
【図３】
2007318413.tif 000005
【図４】
2007318413.tif 000006
【図５】
2007318413.tif 000007